【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
ディスプレー部を含む映像表示装置の動作方法において、
非圧縮視聴覚コンテンツを獲得するステップと、
前記ディスプレー部を介して前記非圧縮視聴覚コンテンツを再生するステップと、
前記非圧縮視聴覚コンテンツの一部に基づいて前記一部のビデオ特徴情報、オーディオ特徴情報のうち少なくとも一つを抽出するステップと、
前記ビデオ特徴情報、前記オーディオ特徴情報のうち少なくとも一つを含む問合せに対する応答を獲得するステップであって、前記応答は前記非圧縮視聴覚コンテンツの現在視聴されるフレームのタイムスタンプと、付加サービス提供サーバーのアドレスを含む、ステップと、
前記応答に基づいて付加サービスを獲得するステップと、を含む映像表示装置の動作方法。
【請求項２】
前記応答は前記非圧縮視聴覚コンテンツの識別子、及び次の問合せ時間情報のうち少なくとも一つを含み、
前記動作方法は、
前記次の問合せ時間情報に基づいて前記ビデオ特徴情報、前記オーディオ特徴情報のうち少なくとも一つを含む次の問合せを要求するステップを更に含む、請求項１に記載の映像表示装置の動作方法。
【請求項３】
前記次の問合せ時間情報は前記次の問合せを要求する時刻情報である絶対的な次の問合せ時間情報に対応し、
前記動作方法は、
前記絶対的な次の問合せ時間情報に基づいて前記ビデオ特徴情報、オーディオ特徴情報のうち少なくとも一つを含む次の問合せを要求するステップを更に含む、請求項２に記載の映像表示装置の動作方法。
【請求項４】
前記次の問合せ時間情報は前記次の問合せを要求するまで待つべき時間情報である相対的な次の問合せ時間情報に対応し、
前記動作方法は、
前記一部に当たる時間情報及び前記相対的な次の問合せ時間情報に基づいて前記ビデオ特徴情報、前記オーディオ特徴情報のうち少なくとも一つを含む次の問合せを要求するステップを更に含む、請求項２に記載の映像表示装置の動作方法。
【請求項５】
前記応答は前記非圧縮視聴覚コンテンツの識別子、次の問合せタイプ情報のうち少なくとも一つを含む、請求項１に記載の映像表示装置の動作方法。
【請求項６】
前記次の問合せタイプ情報は前記次の問合せに含まれる特徴情報のタイプをオーディオタイプとして決定する情報に対応し、
前記動作方法は、
前記次の問合せタイプ情報に基づいて抽出されたオーディオ特徴情報を含む次の問合せを要求するステップを更に含む、請求項５に記載の映像表示装置の動作方法。
【請求項７】
前記次の問合せタイプ情報は前記次の問合せに含まれる特徴情報のタイプをビデオタイプとして決定する情報に対応し、
前記動作方法は、
前記次の問合せタイプ情報に基づいて抽出されたロゴを含む次の問合せを要求するステップを更に含む、請求項５に記載の映像表示装置の動作方法。
【請求項８】
前記次の問合せタイプ情報は前記次の問合せに含まれる特徴情報の特徴タイプをオーディオタイプ及びビデオタイプとして決定する情報に対応し、
前記動作方法は、
前記次の問合せタイプ情報に基づいて抽出されたオーディオ特徴情報及びロゴを含む次の問合せを要求するステップを更に含む、請求項５に記載の映像表示装置の動作方法。
【請求項９】
前記応答は予め決められた時間情報を更に含み、
前記動作方法は、
前記予め決められた時間情報に前記次の問合せタイプ情報に応じて抽出されたビデオ特徴情報、オーディオ特徴情報のうち少なくとも一つを含む次の問合せを要求するステップを更に含む、請求項５に記載の映像表示装置の動作方法。
【請求項１０】
前記応答は前記非圧縮視聴覚コンテンツの識別子、第１サンプリングウィンドウ情報を含み、
前記第１サンプリングウィンドウは前記非圧縮視聴覚コンテンツの字幕位置の排他領域に位置するビデオ特徴情報の抽出領域に対応し、
前記動作方法は、
前記第１サンプリングウィンドウ情報に応じて抽出されたビデオ特徴情報を含む次の問合せを要求するステップを更に含む、請求項１に記載の映像表示装置の動作方法。
【請求項１１】
前記第１サンプリングウィンドウ情報は、前記第１サンプリングウィンドウの位置情報、大きさ情報、時間情報を含む、請求項１０に記載の映像表示装置の動作方法。
【請求項１２】
前記第１サンプリングウィンドウ情報は、前記第１サンプリングウィンドウの一側上端又は一側下端のｘ座標に対する情報及びｙ座標に対する情報を含む、請求項１１に記載の映像表示装置の動作方法。
【請求項１３】
前記第１サンプリングウィンドウの大きさ情報は、前記第１サンプリングウィンドウの横の長さに対する情報及び縦の長さに対する情報を含む、請求項１１に記載の映像表示装置の動作方法。
【請求項１４】
前記第１サンプリングウィンドウの時間情報は、前記第１サンプリングウィンドウのサンプリング有効開始時点の時間情報及びサンプリング有効終了時点の時間情報を含む、請求項１１に記載の映像表示装置の動作方法。
【請求項１５】
前記非圧縮視聴覚コンテンツの応答を獲得するステップは問合せに対する応答を介して第２サンプリングウィンドウ情報を獲得するステップを更に含み、
前記第２サンプリングウィンドウはＧＵＩ特性情報に基づいて決定された領域に対応し、
前記動作方法は、
前記第２サンプリングウィンドウ情報に応じて抽出された前記ビデオ特徴情報を含む次の問合せを要求するステップを更に含む、請求項１に記載の映像表示装置の動作方法。
【請求項１６】
前記応答は前記ビデオ特徴情報、前記オーディオ特徴情報のうち少なくとも一つに対応する非圧縮視聴覚コンテンツ認識失敗に対するお知らせ情報を更に含む、請求項１５に記載の映像表示装置の動作方法。
【請求項１７】
前記第２サンプリングウィンドウ情報は前記非圧縮視聴覚コンテンツを前記映像表示装置に供給する事業者別ＧＵＩ特性情報に基づいて決定される、請求項１５に記載の映像表示装置の動作方法。
【請求項１８】
前記第２サンプリングウィンドウ情報は前記第２サンプリングウィンドウの位置情報、大きさ情報、ＧＵＩタイプ情報を含み、
前記第２サンプリングウィンドウの位置情報は前記第２サンプリングウィンドウの一側上端又は一側下端のｘ座標に対する情報及びｙ座標に対する情報を含み、
前記第２サンプリングウィンドウの大きさ情報は前記第２サンプリングウィンドウの横の長さに対する情報及び縦の長さに対する情報を含み、
前記第２サンプリングウィンドウのＧＵＩタイプ情報はオンスクリーンディスプレー（Ｏｎ  Ｓｃｒｅｅｎ  Ｄｉｓｐｌａｙ、ＯＳＤ）のＧＵＩタイプを文字列に表示した情報を含む、請求項１７に記載の映像表示装置の動作方法。
【請求項１９】
映像表示装置において、
ディスプレイー部と、
非圧縮視聴覚コンテンツを獲得する受信部と、
前記非圧縮視聴覚コンテンツの一部に基づいて前記一部のビデオ特徴情報、オーディオ特徴情報のうち少なくとも一つを抽出し、前記ビデオ特徴情報、前記オーディオ特徴情報のうち少なくとも一つを含む問合せに対する応答を獲得し、前記応答に基づいて付加サービスを獲得する付加サービス管理部と、
前記非圧縮視聴覚コンテンツと前記付加サービスを前記ディスプレー部に再生する再生制御部と、を含み、
前記応答は、前記非圧縮視聴覚コンテンツの現在視聴されるフレームのタイムスタンプと、付加サービス提供サーバーのアドレスを含む、映像表示装置。
【請求項２０】
前記応答は前記非圧縮視聴覚コンテンツの識別子、及び次の問合せ時間情報、次の問合せタイプ情報、サンプリングウィンドウ情報のうち少なくとも一つを含み、
前記付加サービス管理部は前記抽出された特徴情報を含む次の問合せに対する応答に基づいて前記ビデオ特徴情報、及び前記オーディオ特徴情報のうち少なくとも一つを抽出する、請求項１９に記載の映像表示装置。